【手続補正書】
【提出日】平成25年10月2日(2013.10.2)
【手続補正１】
【補正対象書類名】特許請求の範囲
【補正対象項目名】全文
【補正方法】変更
【補正の内容】
【特許請求の範囲】
【請求項１】
複数の図柄を周囲に配置した複数個の回転リールと、
前記回転リールの回転を開始させるためのスタートスイッチと複数個の前記回転リールの回転を停止させるために前記回転リールにそれぞれ対応する複数個のストップスイッチと予めクレジットしたメダルからメダルの投入をするためのベットスイッチとを含むスイッチ装置と、
前記回転リールの図柄の停止表示の態様に対応した役を抽選により決定するための当選抽選手段と、
前記当選抽選手段の抽選結果に対応した停止制御を前記回転リールに対して行うための遊技制御手段とを備え、
前記回転リールが前記役に応じて予め定められた図柄の停止表示の態様になることにより入賞となるように設定された遊技機において、
前記スイッチ装置の特定の操作の手順に沿った操作が行われたか否かを判断する操作手順判断手段と、
遊技を進行させるための特定の操作を所定時間不能とする操作不能手段とを備え、
前記操作の手順に沿った操作が行われたか否かを前記操作手順判断手段で判断し、前記操作の手順に沿っていたときには、その後に前記操作不能手段による操作不能期間を発生させることを特徴とする遊技機。
【請求項２】
複数の図柄を周囲に配置した複数の回転リールと、
前記回転リールの回転開始の指示を入力するためのスタートスイッチと複数の前記回転リールの各々に対応して設けられ、対応する前記回転リールの回転停止の指示を入力するための複数のストップスイッチと予めクレジットしたメダルからメダルの投入をするためのベットスイッチとを含むスイッチ装置と、
抽選によって複数の役のいずれに当選したかを決定する当選抽選手段と、
前記複数の前記ストップスイッチの各々が操作されると対応する前記回転リールを停止させる遊技制御手段とを備え、
前記複数の前記回転リールが停止した状態で入賞ライン上に所定の図柄の組合せが揃うと入賞となるように設定された遊技機において、
前記複数の役は入賞するとメダルが払い出される小役と、前記ベットスイッチ操作なしに次の遊技を実行可能な再遊技役とを含み、
通常遊技と前記当選抽選手段において前記再遊技役に当選する確率が前記通常遊技と異なるＲＴ遊技とを実行可能であり、
所定の演出を実行するか否かを抽選により判定する演出実行決定手段と、
前記演出実行決定手段が所定の演出を実行すると判定した場合に、前記スイッチ装置を操作する複数の操作手順の中から所定の操作手順を定める操作手順決定手段と、
前記通常遊技において前記演出実行決定手段が所定の演出を実行すると判定した場合に前記操作手順決定手段によって定められた前記所定の操作手順を報知する報知手段と、
前記通常遊技において前記報知手段が報知した所定の操作手順を遊技者が行ったか否かを判定する操作手順判断手段とを備え、
前記操作手順判断手段の判定結果、所定の操作手順を遊技者が行ったことを条件として、前記スタートスイッチの操作を検知すると、複数の前記回転リールの一部又は全部を用いて、演出動作を実行するように複数の前記回転リールを制御し、前記演出動作が終了した後、前記スタートスイッチの操作に起因する前記回転開始の指示の入力による前記回転リールの回転を開始することを特徴とする遊技機。
【請求項３】
前記操作不能手段による操作不能期間を発生させた後、遊技者に特典を付与することを特徴とする請求項１に記載の遊技機。
【手続補正２】
【補正対象書類名】明細書
【補正対象項目名】０００１
【補正方法】変更
【補正の内容】
【０００１】
この発明は、所定の操作手順通りに操作が行われたときに、達成感を付与可能な遊技機に関する。
【手続補正３】
【補正対象書類名】明細書
【補正対象項目名】０００６
【補正方法】変更
【補正の内容】
【０００６】
上記した従来の遊技機において、フリーズ期間等に種々の演出が行われても、演出そのものに、遊技者が直接的に関与するものではないから、遊技者自らの自力要素で、何かを獲得したという達成感を得難いという問題点があった。
請求項１記載の発明は、上記した従来の技術の有する問題点に鑑みてなされたものであり、その目的とするところは、所定の操作手順に沿って操作が行われた場合に、操作不能期間、いわゆる演出フリーズ期間を発生させ、遊技者に達成感を与えようとするものである。
請求項２記載の発明は、上記した従来の技術の有する問題点に鑑みてなされたものであり、その目的とするところは、所定の操作の手順に沿って遊技者の操作が行われた場合に、演出動作を発生させ、遊技者に達成感を与えようとするものである。
請求項３記載の発明は、上記した請求項１に記載の発明の目的に加え、次の点を目的とする。すなわち、所定の操作の手順に沿って遊技者の操作が行われた場合に、特典が付与されることで、遊技者に達成感を与えようとするものである。
【手続補正４】
【補正対象書類名】明細書
【補正対象項目名】０００７
【補正方法】変更
【補正の内容】
【０００７】
（請求項１）
請求項１記載の発明に係る遊技機(10)は、複数の図柄(61)を周囲に配置した複数個の回転リール(40)と、前記回転リール(40)の回転を開始させるためのスタートスイッチ(30)と複数個の前記回転リール(40)の回転を停止させるために前記回転リール(40)にそれぞれ対応する複数個のストップスイッチ(50)と予めクレジットしたメダルからメダルの投入をするためのベットスイッチ(16)とを含むスイッチ装置と、前記回転リール(40)の図柄(61)の停止表示の態様に対応した役を抽選により決定するための当選抽選手段(110)と、前記当選抽選手段(110)の抽選結果に対応した停止制御を前記回転リール(40)に対して行うための遊技制御手段(27)とを備えている。
【手続補正５】
【補正対象書類名】明細書
【補正対象項目名】０００８
【補正方法】変更
【補正の内容】
【０００８】
この遊技機(10)は、前記回転リール(40)が前記役に応じて予め定められた図柄(61)の停止表示の態様になることにより入賞となるように設定されている。
前記スイッチ装置の特定の操作の手順に沿った操作が行われたか否かを判断する操作手順判断手段(180)と、遊技を進行させるための特定の操作を所定時間不能とする操作不能手段(140)とを備えている。
【手続補正６】
【補正対象書類名】明細書
【補正対象項目名】０００９
【補正方法】変更
【補正の内容】
【０００９】
前記操作の手順通りに操作が行われたか否かを前記操作手順判断手段(180)で判断し、前記操作の手順に沿っていたときには、その後に前記操作不能手段(140)による操作不能期間を発生させることを特徴とする。
（請求項２）
請求項２記載の発明は、複数の図柄(61)を周囲に配置した複数の回転リール(40)と、前記回転リール(40)の回転開始の指示を入力するためのスタートスイッチ(30)と複数の前記回転リール(40)の各々に対応して設けられ、対応する前記回転リール(40)の回転停止の指示を入力するための複数のストップスイッチ(50)と予めクレジットしたメダルからメダルの投入をするためのベットスイッチ(16)とを含むスイッチ装置と、抽選によって複数の役のいずれに当選したかを決定する当選抽選手段(110)と、前記複数の前記ストップスイッチ(50)の各々が操作されると対応する前記回転リール(40)を停止させる遊技制御手段(27)とを備え、前記複数の前記回転リール(40)が停止した状態で入賞ライン上に所定の図柄(61)の組合せが揃うと入賞となるように設定された遊技機(10)において、前記複数の役は入賞するとメダルが払い出される小役と、前記ベットスイッチ(16)操作なしに次の遊技を実行可能な再遊技役とを含み、通常遊技と前記当選抽選手段(110)において前記再遊技役に当選する確率が前記通常遊技と異なるＲＴ遊技とを実行可能であり、所定の演出を実行するか否かを抽選により判定する演出実行決定手段（具体的には、シナリオ演出実行決定手段200）と、前記演出実行決定手段が所定の演出を実行すると判定した場合に、前記スイッチ装置を操作する複数の操作手順の中から所定の操作手順を定める操作手順決定手段(170)と、前記通常遊技において前記演出実行決定手段が所定の演出を実行すると判定した場合に前記操作手順決定手段(170)によって定められた前記所定の操作手順を報知する報知手段(66)と、前記通常遊技において前記報知手段(66)が報知した所定の操作手順を遊技者が行ったか否かを判定する操作手順判断手段(180)とを備え、前記操作手順判断手段(180)の判定結果、所定の操作手順を遊技者が行ったことを条件として、前記スタートスイッチ(30)の操作を検知すると、複数の前記回転リール(40)の一部又は全部を用いて、演出動作を実行するように複数の前記回転リール(40)を制御し、前記演出動作が終了した後、前記スタートスイッチ(30)の操作に起因する前記回転開始の指示の入力による前記回転リール(40)の回転を開始することを特徴とする。
（請求項３）
請求項３記載の発明は、上記した請求項１記載の発明の特徴点に加え、前記操作不能手段(140)による操作不能期間を発生させた後、遊技者に特典を付与することを特徴とする。
【手続補正７】
【補正対象書類名】明細書
【補正対象項目名】００１０
【補正方法】変更
【補正の内容】
【００１０】
本発明は、以上のように構成されているので、以下に記載されるような効果を奏する。
（請求項１）
請求項１記載の発明によれば、所定の操作の手順に沿って遊技者の操作が行われた場合に、操作不能期間、いわゆる演出フリーズ期間を発生させる。これにより、操作手順通りに操作をしたことで演出フリーズ期間が付与されたという達成感を遊技者に付与することができる。
（請求項２）
請求項２記載の発明によれば、所定の操作の手順に沿って遊技者の操作が行われた場合に、演出動作を発生させる。これにより、操作手順通りに操作をしたことで演出動作が付与されたという達成感を遊技者に付与することができる。
（請求項３）
請求項３記載の発明によれば、上記した請求項１に記載の発明の効果に加え、所定の操作の手順に沿って遊技者の操作が行われた場合に、特典が付与されることで、遊技者に達成感を与えることができる。